(57)【要約】  本発明は、３Ｄ物体用のフルカラーデータの処理方法及び装置を提供する。該方法は、オブジェクトに対して層形成処理を実行して、層色データ及び層構造データを含むスライス層データを各層に対して決定するステップ（１０１）と、層色データとオブジェクトの背景色データとが一致する場合に層色データ及び層構造データを分析し、層色データとオブジェクトの背景色データとが一致しない場合に層色データを分析することで、オブジェクトの層の色を決定して、オブジェクトの印刷情報を決定するステップ（１０２）とを含む。層色データはオブジェクトの色情報を示し、層構造データはオブジェクトの印刷位置を示す。３Ｄオブジェクトをスライスし、スライス後に生成された層色データ及び層構造データを分析し、データの形で３Ｄオブジェクトのフルカラー情報を示すことで、３Ｄオブジェクトのスライス層及び背景画像の色が一致する場合に判別することができ、印刷しないこと又は印刷間違いの発生を避けることができる。
2019503905.tif 000002
【特許請求の範囲】
【請求項１】
オブジェクトに対して層形成処理を実行して、層色データ及び層構造データを含むスライス層データを各層に対して決定するステップと、
前記層色データとオブジェクトの背景色データとが一致する場合に前記層色データ及び前記層構造データを分析し、前記層色データとオブジェクトの背景色データとが一致しない場合に前記層色データを分析することで、オブジェクトの層の色を決定して、オブジェクトの印刷情報を決定するステップと
を含み、
前記層色データは前記オブジェクトの色情報を示し、前記層構造データは前記オブジェクトの印刷位置を示すことを特徴とする３Ｄ物体用のフルカラーデータの処理方法。
【請求項２】
前記オブジェクトに対して層形成処理を実行して、スライス層データを各層に対して決定するステップは、
前記オブジェクトに対してスキャン処理を実行して、オブジェクトのオブジェクト情報を得るステップと、
前記オブジェクト情報を層形成スライスソフトにより認識されるデータ形式のオブジェクト情報に変換するステップと、
形式変換後のオブジェクト情報に対して層形成処理を実行して、ビットマップ画像を生成するステップと、
前記ビットマップ画像を解析して、各層のスライス層データを決定するステップと
を含むことを特徴とする請求項１に記載の方法。
【請求項３】
前記ビットマップ画像を解析して、各層のスライス層データを決定した後に、
各層のスライス層データの層色データをカラーフォーマット変換して、処理後の各層のスライス層データを得るステップをさらに含むことを特徴とする請求項２に記載の方法。
【請求項４】
前記層色データとオブジェクトの背景色データとが一致する場合に前記層色データ及び前記層構造データを分析し、前記層色データとオブジェクトの背景色データとが一致しない場合に前記層色データを分析することで、オブジェクトの層の色を決定して、オブジェクトの印刷情報を決定するステップにおいて、
前記ビットマップ画像の数が１である場合に、前記ビットマップ画像の各画素の層色データを逐一に分析して、層色データが示す内容を決定し、
前記層色データとオブジェクトの背景色データとが一致する場合に、前記ビットマップ画像の各画素の層構造データを逐一に分析して、層構造データが示す内容を決定することで、前記層色データが示す内容及び前記層構造データが示す内容に基づいて、オブジェクトの層の色を決定して、オブジェクトの印刷情報を決定し、
前記層色データとオブジェクトの背景色データとが一致しない場合に、前記層色データが示す内容に基づいて、オブジェクトの層の色を決定して、オブジェクトの印刷情報を決定することを特徴とする請求項２又は請求項３に記載の方法。
【請求項５】
前記層色データとオブジェクトの背景色データとが一致する場合に前記層色データ及び前記層構造データを分析し、前記層色データとオブジェクトの背景色データとが一致しない場合に前記層色データを分析することで、オブジェクトの層の色を決定して、オブジェクトの印刷情報を決定するステップにおいて、
前記ビットマップ画像が第１のビットマップ画像及び第２のビットマップ画像を含む場合に、第１のビットマップ画像における各画素の層色データを抽出して分析して、層色データが示す内容を決定し、
前記層色データとオブジェクトの背景色データとが一致する場合に、第１のビットマップ画像における各画素に一対一に対応した第２のビットマップ画像における各画素の層構造データを抽出して分析して、層構造データが示す内容を決定することで、前記層色データが示す内容及び前記層構造データが示す内容に基づいて、オブジェクトの層の色を決定して、オブジェクトの印刷情報を決定し、
前記層色データとオブジェクトの背景色データとが一致しない場合に、前記層色データが示す内容に基づいて、オブジェクトの層の色を決定して、オブジェクトの印刷情報を決定することを特徴とする請求項２又は請求項３に記載の方法。
【請求項６】
前記第１のビットマップ画像が２４ビットのビットマップ画像であり、前記第２のビットマップ画像は二値画像であることを特徴とする請求項５に記載の方法。
【請求項７】
オブジェクトの全ての層の色が決定されるまで、第１の処理工程及び第２の処理工程を繰り返すステップを含み、
第１の処理工程は、オブジェクトに対して層形成処理を実行して、予め設定された数の層のスライス層データを決定する工程を繰り返すことを含み、前記スライス層データは層色データ及び層構造データを含み、
第２の処理工程は、予め設定された数の層の前記層色データ及び前記層構造データを分析して、オブジェクトの予め設定された数の層の色を決定して、オブジェクトの印刷情報を決定する工程を繰り返すことを含み、
予め設定された数の層の前記層色データ及び前記層構造データを分析することは、前記層色データとオブジェクトの背景色データとが一致する場合に前記層色データ及び前記層構造データを分析し、前記層色データとオブジェクトの背景色データとが一致しない場合に前記層色データを分析することを含むことを特徴とする請求項１に記載の方法。
【請求項８】
第３の処理工程及び第４の処理工程を含み、
第３の処理工程は、オブジェクトに対して層形成処理を実行して、全ての層のスライス層データを決定する工程を繰り返すことを含み、前記スライス層データは層色データ及び層構造データを含み、
第４の処理工程は、全ての層の前記層色データ及び前記層構造データ夫々を分析して、オブジェクトの全ての層の色を決定して、オブジェクトの印刷情報を決定する工程を繰り返すことを含み、
前記全ての層の前記層色データ及び前記層構造データ夫々を分析することは、前記層色データとオブジェクトの背景色データとが一致する場合に前記層色データ及び前記層構造データを分析し、前記層色データとオブジェクトの背景色データとが一致しない場合に前記層色データを分析することを含むことを特徴とする請求項１に記載の方法。
【請求項９】
オブジェクトに対して層形成処理を実行して、層色データ及び層構造データを含むスライス層データを各層に対して決定するための層形成モジュールと、
前記層色データとオブジェクトの背景色データとが一致する場合に前記層色データ及び前記層構造データを分析し、前記層色データとオブジェクトの背景色データとが一致しない場合に前記層色データを分析することで、オブジェクトの層の色を決定して、オブジェクトの印刷情報を決定するための分析モジュールと
を備え、
前記層色データは前記オブジェクトの色情報を示し、前記層構造データは前記オブジェクトの印刷位置を示すことを特徴とする３Ｄ物体用のフルカラーデータの処理装置。
【請求項１０】
前記層形成モジュールは、
前記オブジェクトに対してスキャン処理を実行してオブジェクトのオブジェクト情報を得、前記オブジェクト情報を層形成スライスソフトにより認識されるデータ形式のオブジェクト情報に変換し、形式変換後のオブジェクト情報に対して層形成処理を実行してビットマップ画像を生成し、前記ビットマップ画像を解析して各層のスライス層データを決定するための層形成子モジュールを備えることを特徴とする請求項９に記載の装置。
【請求項１１】
前記層形成モジュールは、
前記層形成子モジュールが前記ビットマップ画像を解析して各層のスライス層データを決定した後に、各層のスライス層データの層色データをカラーフォーマット変換して、処理後の各層のスライス層データを得るための変換子モジュールをさらに備えることを特徴とする請求項１０に記載の装置。
【請求項１２】
前記分析モジュールは、
前記ビットマップ画像の数が１である場合に、前記ビットマップ画像の各画素の層色データを逐一に分析して、層色データが示す内容を決定し、
前記層色データとオブジェクトの背景色データとが一致する場合に、前記ビットマップ画像の各画素の層構造データを逐一に分析して、層構造データが示す内容を決定することで、前記層色データが示す内容及び前記層構造データが示す内容に基づいて、オブジェクトの層の色を決定して、オブジェクトの印刷情報を決定し、
前記層色データとオブジェクトの背景色データとが一致しない場合に、前記層色データが示す内容に基づいて、オブジェクトの層の色を決定して、オブジェクトの印刷情報を決定することを特徴とする請求項１０又は請求項１１に記載の装置。
【請求項１３】
前記分析モジュールは、
前記ビットマップ画像が第１のビットマップ画像及び第２のビットマップ画像を含む場合に、第１のビットマップ画像における各画素の層色データを抽出して分析して、層色データが示す内容を決定し、
前記層色データとオブジェクトの背景色データとが一致する場合に、第１のビットマップ画像における各画素に一対一に対応した第２のビットマップ画像における各画素の層構造データを抽出して分析して、層構造データが示す内容を決定することで、前記層色データが示す内容及び前記層構造データが示す内容に基づいて、オブジェクトの層の色を決定して、オブジェクトの印刷情報を決定し、
前記層色データとオブジェクトの背景色データとが一致しない場合に、前記層色データが示す内容に基づいて、オブジェクトの層の色を決定して、オブジェクトの印刷情報を決定することを特徴とする請求項１０又は請求項１１に記載の装置。
【請求項１４】
前記第１のビットマップ画像は２４ビットのビットマップ画像であり、前記第２のビットマップ画像は二値画像であることを特徴とする請求項１３に記載の装置。
【請求項１５】
オブジェクトの全ての層の色が決定されるまで、第１の処理工程及び第２の処理工程を繰り返し、
第１の処理工程は、オブジェクトに対して層形成処理を実行して、予め設定された数の層のスライス層データを決定する工程を繰り返すことを含み、前記スライス層データは層色データ及び層構造データを含み、
第２の処理工程は、予め設定された数の層の前記層色データ及び前記層構造データを分析して、オブジェクトの予め設定された数の層の色を決定して、オブジェクトの印刷情報を決定する工程を繰り返すことを含み、
予め設定された数の層の前記層色データ及び前記層構造データを分析することは、前記層色データとオブジェクトの背景色データとが一致する場合に前記層色データ及び前記層構造データを分析し、前記層色データとオブジェクトの背景色データとが一致しない場合に前記層色データを分析することを含むことを特徴とする請求項９に記載の装置。
【請求項１６】
第３の処理工程及び第４の処理工程を行い、
第３の処理工程は、オブジェクトに対して層形成処理を実行して、全ての層のスライス層データを決定する工程を繰り返すことを含み、
前記スライス層データは層色データ及び層構造データを含み、
第４の処理工程は、全ての層の前記層色データ及び前記層構造データ夫々を分析して、オブジェクトの全ての層の色を決定して、オブジェクトの印刷情報を決定する工程を繰り返すことを含み、
前記全ての層の前記層色データ及び前記層構造データ夫々を分析することは、前記層色データとオブジェクトの背景色データとが一致する場合に前記層色データ及び前記層構造データを分析し、前記層色データとオブジェクトの背景色データとが一致しない場合に前記層色データを分析することを含むことを特徴とする請求項９に記載の装置。
【発明の詳細な説明】
【技術分野】
【０００１】
本発明は高速成形技術分野に関し、特に３Ｄ物体用のフルカラーデータの処理方法及び装置に関する。
【背景技術】
【０００２】
高速成形技術は、高速原型製造技術又は付加製造技術とも呼ばれる。高速成形技術では、三次元（Ｔｈｒｅｅ  Ｄｉｍｅｎｓｉｏｎａｌ、単に「３Ｄ」と記す）モデルをスライスして１層ずつ加工して積み上げることで３Ｄ物体を作る。
【０００３】
従来技術では、３Ｄ物体の高速成形技術は、熱溶解積層方式（Ｆｕｓｅｄ  Ｄｅｐｏｓｉｔｉｏｎ  Ｍｏｄｅｌｉｎｇ，単に「ＦＤＭ」と記す）、光造形方式（Ｓｔｅｒｅｏ  Ｌｉｔｈｏｇｒａｐｈｙ  Ａｐｐａｒａｔｕｓ、単に「ＳＬＡ」と記す）、粉末焼結積層造形方式（Ｓｅｌｅｃｔｅｄ  Ｌａｓｅｒ  Ｓｉｎｔｅｒｉｎｇ、単に「ＳＬＳ」と記す）、薄膜積層方式（Ｌａｍｉｎａｔｅｄ  Ｏｂｊｅｃｔ  Ｍａｎｕｆａｃｔｕｒｉｎｇ、単に「ＬＯＭ」と記す）又はインクジェット方式等を含む。
【０００４】
これらの方法でフルカラーの３Ｄモデルを印刷する場合には、３Ｄモデルの色情報を判別しなければならない。特に、スライス処理後のスライス層の色と、該スライス層の背景画像の色とが一致する場合に、印刷システムは、該色情報における印刷しない背景情報と印刷すべきスライス層とを判別することはできない。例えば、３Ｄモデルのスライス層にも印刷すべき白色の部分があり、該スライス層の画像の背景色も白色である場合には、スライス層の画像の背景を印刷する必要がないが、色が一致するため、印刷システムは印刷すべき白色と印刷しない白色とを判別することができず、混乱してしまって、印刷しないこと又は印刷間違いを発生させる虞がある。
【発明の概要】
【発明が解決しようとする課題】
【０００５】
本発明は、色が一致するため、印刷システムが印刷すべき白色と印刷しない白色とを判別することができず、混乱してしまって、印刷しないこと又は印刷間違いを発生させるという従来技術における課題を解決するための３Ｄ物体用のフルカラーデータの処理方法及び装置を提供する。
【課題を解決するための手段】
【０００６】
本発明の一様態に係る３Ｄ物体用のフルカラーデータの処理方法は、オブジェクトに対して層形成処理を実行して、層色データ及び層構造データを含むスライス層データを各層に対して決定するステップと、前記層色データ及びオブジェクトの背景色データが一致する場合に前記層色データ及び前記層構造データを分析し、前記層色データ及びオブジェクトの背景色データが一致しない場合に前記層色データを分析することで、オブジェクトの層の色を決定して、オブジェクトの印刷情報を決定するステップとを含み、前記層色データは前記オブジェクトの色情報を示し、前記層構造データは前記オブジェクトの印刷位置を示す。
【０００７】
本発明の他の一様態に係る３Ｄ物体用のフルカラーデータの処理装置は、オブジェクトに対して層形成処理を実行して、層色データ及び層構造データを含むスライス層データを各層に対して決定するための層形成モジュールと、前記層色データ及びオブジェクトの背景色データが一致する場合に前記層色データ及び前記層構造データを分析し、前記層色データ及びオブジェクトの背景色データが一致しない場合に前記層色データを分析することで、オブジェクトの層の色を決定して、オブジェクトの印刷情報を決定するための分析モジュールとを備え、前記層色データは前記オブジェクトの色情報を示し、前記層構造データは前記オブジェクトの印刷位置を示す。
【発明の効果】
【０００８】
本発明によれば、以下の技術効果を奏する。オブジェクトに対して層形成処理を実行して、オブジェクトの色情報を示す層色データ及びオブジェクトの印刷位置を示す層構造データを含むスライス層データを各層に対して決定し、層色データ及びオブジェクトの背景色データが一致する場合に層色データ及び層構造データを分析し、層色データ及びオブジェクトの背景色データが一致しない場合に層色データを分析することで、オブジェクトの層の色を決定して、オブジェクトの印刷情報を決定することにより、３Ｄ物体用のフルカラーデータの処理方法を提供することができる。この処理方法では、３Ｄオブジェクトをスライスし、スライス後に生成された層色データ及び層構造データを分析し、データの形で３Ｄオブジェクトのフルカラー情報を示すことで、３Ｄオブジェクトのスライス層及び背景画像の色が一致する場合に判別することができ、印刷しないこと又は印刷間違いの発生を避けることができる。
【図面の簡単な説明】
【０００９】
【図１】本発明の実施例１に係る３Ｄ物体用のフルカラーデータの処理方法のフローチャートである。
【図２】本発明の実施例２に係る３Ｄ物体用のフルカラーデータの処理方法のフローチャートである。
【図３】本発明の実施例２に係る３Ｄ物体用のフルカラーデータの処理方法で生成された１つのビットマップ画像の模式図である。
【図４】本発明の実施例２に係る３Ｄ物体用のフルカラーデータの処理方法における３Ｄオブジェクトの模式図１である。
【図５】本発明の実施例２に係る３Ｄ物体用のフルカラーデータの処理方法における３Ｄオブジェクトの非白色の部分の画素アレイの模式図１である。
【図６】本発明の実施例２に係る３Ｄ物体用のフルカラーデータの処理方法における３Ｄオブジェクトの白色の部分の画素アレイの模式図１である。
【図７】本発明の実施例２に係る３Ｄ物体用のフルカラーデータの処理方法で生成された第２のビットマップ画像の模式図である。
【図８】本発明の実施例２に係る３Ｄ物体用のフルカラーデータの処理方法で生成された第２のビットマップ画像の１画素に含まれる層構造データの模式図である。
【図９】本発明の実施例２に係る３Ｄ物体用のフルカラーデータの処理方法で生成された第１のビットマップ画像の模式図である。
【図１０】本発明の実施例２に係る３Ｄ物体用のフルカラーデータの処理方法における３Ｄオブジェクトの模式図２である。
【図１１】本発明の実施例２に係る３Ｄ物体用のフルカラーデータの処理方法における３Ｄオブジェクトの非白色の部分の画素アレイの模式図２である。
【図１２】本発明の実施例２に係る３Ｄ物体用のフルカラーデータの処理方法における３Ｄオブジェクトの白色の部分の画素アレイの模式図２である。
【図１３】本発明の実施例３に係る３Ｄ物体用のフルカラーデータの処理装置の構成模式図である。
【図１４】本発明の実施例４に係る３Ｄ物体用のフルカラーデータの処理装置の構成模式図である。
【発明を実施するための形態】
【００１０】
本発明の実施例の目的、技術方案及び利点を一層明確にさせるために、以下では本発明の実施例を示す図面に基づいて本発明の実施例における技術方案を明確に詳細に説明する。勿論、説明する実施例は本発明の一部の実施例に過ぎず、全部の実施例ではない。当業者が本発明の実施例に基づいて創造的な行為が要らずに得た他の実施例は、全て本発明の技術的範囲に属する。
【００１１】
図１は本発明の実施例１に係る３Ｄ物体用のフルカラーデータの処理方法のフローチャートである。図１に示すように，本実施例に係る方法は以下のステップを含む。
【００１２】
ステップ１０１：
オブジェクトに対して層形成処理を実行して、各層のスライス層データを決定する。スライス層データは層色データ及び層構造データを含む。ここで、層色データはオブジェクトの色情報を示し、層構造データはオブジェクトの印刷位置を示す。
【００１３】
本実施例では、具体的に、３Ｄオブジェクトを取得し、スライスソフトで３Ｄオブジェクトに対して層形成処理を実行することで、３Ｄオブジェクトの各層を得て、３Ｄオブジェクトの各層のスライス層データを得ることができる。ここで、各層のスライス層データは層色データ及び層構造データを含む。
【００１４】
ここで、層色データは、スライスソフトによって３Ｄオブジェクトの層が形成された後の３Ｄオブジェクトの色彩分布、即ち３Ｄオブジェクトの色情報を示すものである。層構造データは、スライスソフトによって３Ｄオブジェクトの層が形成された後の３Ｄオブジェクトの物理的位置、即ち３Ｄオブジェクトの印刷位置を示すものである。
【００１５】
ステップ１０２：
層色データとオブジェクトの背景色データとが一致する場合に層色データ及び層構造データを分析し、層色データとオブジェクトの背景色データとが一致しない場合に層色データを分析することで、オブジェクトの層の色を決定して、オブジェクトの印刷情報を決定する。
【００１６】
本実施例では、具体的に、スライスソフトで３Ｄオブジェクトに対して層を形成させた後に得たスライス層データを印刷に用いる場合に、３Ｄオブジェクトの各層のスライス層データにおける層色データや層構造データを分析して３Ｄオブジェクトの層の色を決定してオブジェクトの印刷情報を決定する必要がある。具体的には、層色データとオブジェクトの背景色データとが一致する場合には、層色データ及び層構造データを分析する必要があるが、層色データとオブジェクトの背景色データとが一致しない場合には、層色データのみを分析する。これにより、オブジェクトの層の色を決定して、オブジェクトの印刷情報を決定することができる。
【００１７】
本実施例では、オブジェクトに対して層形成処理を実行することで、各層のスライス層データを決定する。スライス層データは層色データ及び層構造データを含む。ここで、層色データはオブジェクトの色情報を示し、層構造データはオブジェクトの印刷位置を示す。層色データとオブジェクトの背景色データとが一致する場合に層色データ及び層構造データを分析し、層色データとオブジェクトの背景色データとが一致しない場合に層色データを分析することで、オブジェクトの層の色を決定して、オブジェクトの印刷情報を決定する。これにより、３Ｄ物体用のフルカラーデータの処理方法を提供することができる。この処理方法では、３Ｄオブジェクトをスライスし、スライス後に生成された層色データ及び層構造データを分析し、データの形で３Ｄオブジェクトのフルカラー情報を示すことで、３Ｄオブジェクトのスライス層及び背景画像の色が一致する場合に判別することができ、印刷しないこと又は印刷間違いの発生を避けることができる。
【００１８】
図２は本発明の実施例２に係る３Ｄ物体用のフルカラーデータの処理方法のフローチャートである。実施例１を基にし、図２に示すように、本実施例の方法において、ステップ１０１は、具体的に、以下のステップを含む。
オブジェクトに対してスキャン処理を実行してオブジェクトのオブジェクト情報を得る。
オブジェクト情報を層形成用のスライスソフトにより認識されるデータ形式のオブジェクト情報に変換する。
形式変換後のオブジェクト情報に対して層形成処理を実行してビットマップ画像を生成する。
ビットマップ画像を解析して各層のスライス層データを決定する。
各層のスライス層データの層色データをカラーフォーマット変換して処理後の各層のスライス層データを得る。
【００１９】
本実施例では、具体的に、３Ｄオブジェクトのオブジェクト情報を得て、オブジェクト情報を、例えばステレオリソグラフィー（Ｓｔｅｒｅｏｌｉｔｈｏｇｒａｐｈｙ、単に「ＳＴＬ」と記す）形式、ポリゴンファイルフォーマット（Ｐｏｌｙｇｏｎ  Ｆｉｌｅ  Ｆｏｒｍａｔ、単に「ＰＬＹ」と記す）形式、仮想現実モデリング言語（Ｖｉｒｔｕａｌ  Ｒｅａｌｉｔｙ  Ｍｏｄｅｌｉｎｇ  Ｌａｎｇｕａｇｅ、単に「ＶＷＲＬ」と記す）形式等、処理端末の層形成用のスライスソフトにより認識されるデータ形式に変換することにより、層形成用のスライスソフトにより認識されるデータ形式のオブジェクト情報を得る。ここで、オブジェクト情報は層を単位とする。そして、形式変換後のオブジェクト情報に対して、層形成用のスライスソフトでスライス処理即ち層形成処理を実行することで、ビットマップ画像を生成することができる。その後、各ビットマップ画像を解析して各層のスライス層データを得る。ここで、ビットマップ画像は複数の画素の組み合わせで形成されたラスタ画像である。スライス層データは画素に含まれるデータ情報であり、各層の層色データは画素内に含まれる層色データであり、各層の層構造データは画素内に含まれる構造データである。
【００２０】
従来技術では、スライス層データに含まれる層色データ及び構造データは同じデータである。具体的には、従来技術において、層形成によりビットマップ画像が生成された場合に、ビットマップ画像の背景色を３Ｄオブジェクトの色と異なるいずれか１つの色に定義し、即ち、ビットマップ画像の背景色と３Ｄオブジェクトの色とを異ならせる。そして、層色データを読み取ると同時に該層色データが印刷部分に属するか否かを判定する。層色データが示す色が背景画像の色と異なる場合には、印刷部分であると判定する。そうではない場合には、印刷する必要がない背景色であると判定する。
【００２１】
ところが、本実施例では、層色データが示す色と背景画像の色とが同一であるか否かについて限定しないため、データ上でフルカラーの目的を果たすことができる。本実施例では、スライスして層を形成して得たスライス層データにおける層色データと層構造データとは、内容が異なる２つのデータとして、それぞれが異なる印刷情報を示し、即ち、層色データが３Ｄオブジェクトの色情報を示し、層構造データが３Ｄオブジェクトの印刷位置を示す。また、各層のスライス層データは、３Ｄオブジェクトの材料情報を更に含んでもよい。該材料情報は、３Ｄオブジェクトが単一材料又は多材料で印刷されることを示し、具体的な必要に応じて設定すればよい。
【００２２】
ここで、３Ｄオブジェクトに対して層形成処理を実行して層色データを得るステップにおいて、グラフィックソフトウェアで３Ｄオブジェクトの層色データを直接に描画することができる。例えば、グラフィックソフトウェアのＣＡＤ、Ｐｒｏｅ、Ｓｏｌｉｄｗｏｒｋ、ＵＧ、３ＤＭａｘ等で層色データを描画する。ここで、グラフィックソフトウェアで描画したのは３Ｄオブジェクトの基本構造モデルである。
【００２３】
層色データは赤色（Ｒ）、緑色（Ｇ）及び青色（Ｂ）の組み合わせにより形成されたデータである。スライスソフトで３Ｄオブジェクトに対して層を形成して得たスライス層データは、印刷に適用する際に層印刷データに変換する必要がある。具体的には、各層のスライス層データの層色データをカラーフォーマット変換することで、処理後の各層のスライス層データを得る。例えば、層色データは、赤色（Ｒ）、緑色（Ｇ）及び青色（Ｂ）の組み合わせによるカラーシステムで記憶されたデータであり、印刷に適用する際に、赤色（Ｒ）、緑色（Ｇ）及び青色（Ｂ）の組み合わせで記憶されたデータを変換して、１画素内の赤色（Ｒ）、緑色（Ｇ）及び青色（Ｂ）の組み合わせで記憶された層色データをシアン（Ｃ）、マゼンタ（Ｍ）、黄色（Ｙ）の組み合わせ、又はシアン（Ｃ）、マゼンタ（Ｍ）、黄色（Ｙ）、黒色（Ｋ）の組み合わせ、又はシアン（Ｃ）、マゼンタ（Ｍ）、黄色（Ｙ）、白色（Ｗ）の組み合わせ、又は他の色の組み合わせに変換する必要があり、これにより、変換後の層色データを得る。例えば、１画素内の赤色（Ｒ）、緑色（Ｇ）及び青色（Ｂ）の組み合わせで記憶された層色データをシアン（Ｃ）、マゼンタ（Ｍ）、黄色（Ｙ）の組み合わせに変換する。
【００２４】
ステップ１０２は２つの形態で実現できる。
【００２５】
ステップ１０２を実現するための第１の形態とするステップＳ１０２１では、以下の処理を実行する。
ビットマップ画像の数が１である場合に、ビットマップ画像の各画素の層色データを逐一に分析して、層色データが示す内容を決定する。
層色データとオブジェクトの背景色データとが一致する場合に、ビットマップ画像の各画素の層構造データを逐一に分析して、層構造データが示す内容を決定し、これにより、層色データが示す内容及び層構造データが示す内容に基づいてオブジェクトの層の色を決定して、オブジェクトの印刷情報を決定する。
層色データとオブジェクトの背景色データとが一致しない場合に、層色データが示す内容に基づいてオブジェクトの層の色を決定して、オブジェクトの印刷情報を決定する。
【００２６】
本実施例では、具体的に、ビットマップ画像の数が１である場合に、該ビットマップ画像内の画素に含まれるスライス層データは層色データ及び層構造データを含む。層色データはカラーシステムの形で含まれたデータであり、層色データ及び層構造データは対立した２つのデータである。例えば、該ビットマップ画像において１画素の層色データが赤色（Ｒ）、緑色（Ｇ）及び青色（Ｂ）の組み合わせによるカラーシステムで記憶されたデータであり、白色が（２５５，２５５，２５５）であり、層構造データが０又は１である場合に、該画素に含まれるスライス層データは、（２５５，２５５，２５５，０）、（０，２５５，２５５，２５５）、（２５５，０，２５５，２５５）、又は（２５５，２５５，０，２５５）である。
【００２７】
この場合、該ビットマップ画像の各画素の層色データ及び層構造データを逐一に分析して３Ｄオブジェクトの層の色を決定することができる。ビットマップ画像の数が１である場合、該ビットマップ画像における各画素に含まれた層色データ及び層構造データを抽出し、各画素における赤色（Ｒ）、緑色（Ｇ）及び青色（Ｂ）のデータを分析して、層色データが示す内容を決定すると同時に、各画素の層構造データを分析して、層構造データが示す内容を決定することができる。
【００２８】
具体的には、該ビットマップ画像の各画素の層色データを逐一に分析して、層色データが示す内容を決定することができる。層色データとオブジェクトの背景色データとが一致する場合には、ビットマップ画像の各画素の層構造データを逐一に分析して、層構造データが示す内容を決定する。これにより、層色データが示す内容及び層構造データが示す内容に基づいて、オブジェクトの層の色を決定して、オブジェクトの印刷情報を決定する。層色データとオブジェクトの背景色データとが一致しない場合には、ビットマップ画像の各画素の層構造データを逐一に分析して層構造データが示す内容を決定する必要はない。この場合には、直接に層色データが示す内容に基づいてオブジェクトの層の色を決定して、オブジェクトの印刷情報を決定することができる。これにより、方法が簡単になり、作動資源を省くことができる。
【００２９】
例を挙げて説明する。図３は本発明の実施例２に係る３Ｄ物体用のフルカラーデータの処理方法で生成された１つのビットマップ画像の模式図である。図３は２４ビットのビットマップ画像である。図３に示すように、３Ｄオブジェクト１１における白色の部分は背景画像と区別できない。具体的に説明すると、図４は本発明の実施例２に係る３Ｄ物体用のフルカラーデータの処理方法における３Ｄオブジェクトの模式図１であり、図４に示すように、３Ｄオブジェクト１１は非白色の部分１２及び白色の部分１３を有する。
【００３０】
図５は本発明の実施例２に係る３Ｄ物体用のフルカラーデータの処理方法における３Ｄオブジェクトの非白色の部分の画素アレイの模式図１である。図５には、図４における３Ｄオブジェクト１１の非白色の部分１２の画素アレイが示されており、図５に示すように、３Ｄオブジェクト１１に対して層を形成して、層色データ及び層構造データを得て、非白色の部分１２における１画素に対して抽出して分析する。該画素について、層色データ及び層構造データが記憶されており、層色データは赤色（Ｒ）、緑色（Ｇ）及び青色（Ｂ）のカラーシステムで記憶されたデータである。図５に示すように、該画素は３Ｄオブジェクト１１の非白色の部分１２に属し、ビットマップ画像の背景色が白色であるため、層構造データを抽出しなくても、該画素が印刷すべき部分であると判定できる。
【００３１】
図６は本発明の実施例２に係る３Ｄ物体用のフルカラーデータの処理方法における３Ｄオブジェクトの白色の部分の画素アレイの模式図１である。図６には、図４における背景画像及び３Ｄオブジェクト１１の白色の部分１３の画素アレイが示されており、図６に示すように、３Ｄオブジェクト１１に対して層を形成して、層色データ及び層構造データを得て、白色の部分１３における１画素に対して抽出して分析する。該画素について、層色データ及び層構造データが記憶されており、層色データは赤色（Ｒ）、緑色（Ｇ）及び青色（Ｂ）のカラーシステムで記憶されたデータである。該画素が白色であるため、ビットマップ画像の背景色及び３Ｄオブジェクト１１の白色の部分１３のうちどちらであるかは決定できない。よって、層色データに対応した層構造データを抽出し、該層構造データを分析して、層構造データが示す内容を決定する。層構造データは、対立するデータの０又は１を含む。ここで、０は、該ビットマップ画像において背景画像とする部分を示し、１は該ビットマップ画像において３Ｄオブジェクト実体とする部分を示す。又は、１は該ビットマップ画像において背景画像とする部分を示し、０は該ビットマップ画像において３Ｄオブジェクト実体とする部分を示す。
【００３２】
ステップ１０２を実現するための第２の形態とするステップ１０２２では、以下の処理を実行する。
ビットマップ画像が第１のビットマップ画像及び第２のビットマップ画像を含む場合には、第１のビットマップ画像における各画素の層色データを抽出して分析して、層色データが示す内容を決定する。
層色データとオブジェクトの背景色データとが一致する場合には、第１のビットマップ画像における各画素に一対一に対応した第２のビットマップ画像における各画素の層構造データを抽出して分析して、層構造データが示す内容を決定することで、層色データが示す内容及び層構造データが示す内容に基づいて、オブジェクトの層の色を決定して、オブジェクトの印刷情報を決定する。
層色データとオブジェクトの背景色データとが一致しない場合には、層色データが示す内容に基づいて、オブジェクトの層の色を決定して、オブジェクトの印刷情報を決定する。
【００３３】
ここで、第１のビットマップ画像は２４ビットのビットマップ画像であり、第２のビットマップ画像は二値画像である。
【００３４】
本実施例では、具体的に、ビットマップ画像の数が２である場合に、第１のビットマップ画像及び第２のビットマップ画像を含み、第１のビットマップ画像の画素に含まれるデータは層色データであり、第２のビットマップ画像の画素に含まれるデータは層構造データである。第１のビットマップ画像は２４ビットのビットマップ画像であり、第２のビットマップ画像は二値画像である。例えば、第１のビットマップ画像における１画素の層色データは赤色（Ｒ）、緑色（Ｇ）及び青色（Ｂ）の組み合わせによるカラーシステムで記憶されたデータであり、白色は（２５５，２５５，２５５）であり、第２のビットマップ画像において第１のビットマップ画像の画素に対応した画素の層構造データは０又は１である。
【００３５】
この場合には、第１のビットマップ画像における各画素の層色データと、第１のビットマップ画像における各画素に一対一に対応した第２のビットマップ画像における各画素の層構造データとを逐一に分析することで、層の色を決定する。例えば、第１のビットマップ画像における１画素に含まれる層色データを抽出し、該画素における赤色（Ｒ）、緑色（Ｇ）及び青色（Ｂ）のデータを分析し、赤色（Ｒ）、緑色（Ｇ）及び青色（Ｂ）のデータを分析することで該画素の層色データが示す内容を決定した後に、第１のビットマップ画像の該画素に対応した第２のビットマップ画像における画素の層構造データを抽出し、該画素の層構造データが示す内容を決定する。
【００３６】
具体的には、層色データとオブジェクトの背景色データとが一致する場合に、第１のビットマップ画像における各画素に一対一に対応した第２のビットマップ画像における各画素の層構造データを抽出して分析して、層構造データが示す内容を決定し、その後、層色データが示す内容及び層構造データが示す内容に基づいて、オブジェクトの層の色を決定して、オブジェクトの印刷情報を決定することができる。一方で、層色データとオブジェクトの背景色データとが一致しない場合には、第１のビットマップ画像における各画素に一対一に対応した第２のビットマップ画像における各画素の層構造データを抽出して分析する必要はなく、層色データが示す内容に基づいて直接にオブジェクトの層の色を決定して、オブジェクトの印刷情報を決定することができる。
【００３７】
例を挙げて説明する。図７は本発明の実施例２に係る３Ｄ物体用のフルカラーデータの処理方法で生成された第２のビットマップ画像の模式図である。図７に示すように、層形成後に生成された第２のビットマップ画像は二値画像であり、層構造データは二値画像データである。ここで、１１は３Ｄオブジェクトを示す。図８は本発明の実施例２に係る３Ｄ物体用のフルカラーデータの処理方法で生成された第２のビットマップ画像における１画素に含まれる層構造データの模式図である。３Ｄオブジェクト１１の層形成後の第２のビットマップ画像における１画素に含まれる層構造データは、図８に示すように、層構造データが対立する２つのデータのうちの０又は１を含む。ここで、０は該二値画像において背景画像とする部分を示し、１は該二値画像において３Ｄオブジェクト実体とする部分を示す。又は、１は該二値画像において背景画像とする部分を示し、０は該二値画像において３Ｄオブジェクト実体とする部分を示す。
【００３８】
図９は本発明の実施例２に係る３Ｄ物体用のフルカラーデータの処理方法で生成された第１のビットマップ画像の模式図である。図８は図７の二値画像に対応した第１のビットマップ画像、即ち層色データの２４ビットのビットマップである。図９に示すように、３Ｄオブジェクト１１が白色の部分を有するため、背景色と区別できない。具体的に、図１０は本発明の実施例２に係る３Ｄ物体用のフルカラーデータの処理方法における３Ｄオブジェクトの模式図２である。図１０に示すように、３Ｄオブジェクト１１は非白色の部分１２１及び白色の部分１３１を有する。
【００３９】
３Ｄオブジェクト１１に対して層を形成させて、層色データ及び層構造データを得てから、抽出して分析する。図１１は本発明の実施例２に係る３Ｄ物体用のフルカラーデータの処理方法における３Ｄオブジェクトの非白色の部分の画素アレイの模式図２である。図１１は図１０における３Ｄオブジェクト１１の非白色の部分１２１の画素アレイであり、図１１に示すように、該アレイにおいて、画素は赤色（Ｒ）、緑色（Ｇ）及び青色（Ｂ）の組み合わせで記憶された層色データを含む。該アレイにおける１画素について、赤色（Ｒ）、緑色（Ｇ）及び青色（Ｂ）の組み合わせで記憶された層色データを抽出し、該層色データに基づいて、該画素の色が非白色で印刷すべき非白色の部分１２１であると決定する。図１２は本発明の実施例２に係る３Ｄ物体用のフルカラーデータの処理方法における３Ｄオブジェクトの白色の部分の画素アレイの模式図２である。図１２には、図１０における背景画像及び３Ｄオブジェクト１１の白色の部分１３１の画素アレイが示されている。該アレイにおいて、画素は赤色（Ｒ）、緑色（Ｇ）及び青色（Ｂ）の組み合わせで記憶された層色データを含む。該アレイにおける１画素について、赤色（Ｒ）、緑色（Ｇ）及び青色（Ｂ）の組み合わせで記憶された層色データを抽出し、該層色データに基づいて該画素の色が白色であると判定する。この場合、画素が第１のビットマップ画像の背景色であるのか、３Ｄオブジェクト１１の白色の部分１３１であるのかは判定できない。よって、該画素に対応した図３における画素の層構造データの０又は１を抽出して、該画素が背景画像であるのか、３Ｄオブジェクト１１の白色の部分１３１であるのかを判定する。
【００４０】
本発明の方法について、２つの形態で実現できる。第１の形態では、オブジェクトの全ての層の色が決定されるまで第１の処理工程及び第２の処理工程を繰り返す。
【００４１】
ここで、第１の処理工程は、オブジェクトに対して層形成処理を実行して、予め設定された数の層のスライス層データを決定する工程を繰り返すことを含む。スライス層データは層色データ及び層構造データを含む。
【００４２】
第２の処理工程は、予め設定された数の層の層色データ及び層構造データを分析して、オブジェクトの予め設定された数の層の色を決定して、オブジェクトの印刷情報を決定する工程を繰り返すことを含む。ここで、予め設定された数の層の層色データ及び層構造データを分析することは、層色データとオブジェクトの背景色データとが一致する場合に層色データ及び層構造データを分析し、層色データとオブジェクトの背景色データとが一致しない場合に層色データを分析することを含む。
【００４３】
第１の形態では、３Ｄオブジェクトの予め設定された数の層のスライス層データのみを分析すれば３Ｄオブジェクトの予め設定された数の層の色を決定することができる。例えば、層形成ソフトウェアで３Ｄオブジェクトに対して１層を形成し、該層のスライス層データを得て、スライス層データの層色データ及び層構造データを抽出して分析すると同時に、層形成ソフトウェアで次の１層の形成処理を実行し、３Ｄオブジェクト体に対する分析が完了するまで上記処理を繰り返す。
【００４４】
第２の形態は、第３の処理工程及び第４の処理工程を含む。
【００４５】
第３の処理工程は、オブジェクトに対して層形成処理を実行して、全ての層のスライス層データを決定する工程を繰り返すことを含む。スライス層データは層色データ及び層構造データを含む。
【００４６】
第４の処理工程は、全ての層の層色データ及び層構造データ夫々を分析して、オブジェクトの全ての層の色を決定して、オブジェクトの印刷情報を決定する工程を繰り返すことを含む。ここで、全ての層の層色データ及び層構造データ夫々を分析することは、層色データとオブジェクトの背景色データとが一致する場合に層色データ及び層構造データを分析し、層色データとオブジェクトの背景色データとが一致しない場合に層色データを分析することを含む。
【００４７】
第２の形態では、３Ｄオブジェクトの全ての層のスライス層データを得て、全ての層のスライス層データを逐一に分析することで、各層のスライス層データにおける層色データ及び層構造データを分析する必要がある。即ち、全ての層に対する分析が完了するまで、層毎に画素毎に抽出して分析することにより、オブジェクトの層の色を得る。
【００４８】
本実施例では、オブジェクトに対して層形成処理を実行して、各層のスライス層データを決定する。スライス層データは層色データ及び層構造データを含む。ここで、層色データはオブジェクトの色情報を示し、層構造データはオブジェクトの印刷位置を示す。ビットマップ画像の数によって、層色データとオブジェクトの背景色データとが一致する場合に層色データ及び層構造データを分析し、層色データとオブジェクトの背景色データとが一致しない場合に層色データを分析することで、オブジェクトの層の色を決定して、オブジェクトの印刷情報を決定する。これにより、３Ｄ物体用のフルカラーデータの処理方法を提供することができる。この処理方法では、３Ｄオブジェクトをスライスし、スライス後に生成された層色データ及び層構造データを分析し、データの形で３Ｄオブジェクトのフルカラー情報を示すことで、３Ｄオブジェクトのスライス層及び背景画像の色が一致する場合に判別することができ、印刷しないこと又は印刷間違いの発生を避けることができる。
【００４９】
図１３は本発明の実施例３に係る３Ｄ物体用のフルカラーデータの処理装置の構成模式図である。図１３に示すように、本実施例に係る装置は、層形成モジュール３１及び分析モジュール３２を備える。
【００５０】
層形成モジュール３１は、オブジェクトに対して層形成処理を実行して、各層のスライス層データを決定するためのものである。スライス層データは層色データ及び層構造データを含む。ここで、層色データはオブジェクトの色情報を示し、層構造データはオブジェクトの印刷位置を示す。
【００５１】
分析モジュール３２は、層色データとオブジェクトの背景色データとが一致する場合に層色データ及び層構造データを分析し、層色データとオブジェクトの背景色データとが一致しない場合に層色データを分析することで、オブジェクトの層の色を決定して、オブジェクトの印刷情報を決定するためのものである。
【００５２】
本実施例の３Ｄ物体用のフルカラーデータの処理装置は、本発明の実施例１に係る３Ｄ物体用のフルカラーデータの処理方法を実行することができ、その実行原理が類似するため、ここで説明を省略する。
【００５３】
本実施例では、オブジェクトに対して層形成処理を実行して、各層のスライス層データを決定する。スライス層データは層色データ及び層構造データを含む。ここで、層色データはオブジェクトの色情報を示し、層構造データはオブジェクトの印刷位置を示す。層色データとオブジェクトの背景色データとが一致する場合に層色データ及び層構造データを分析し、層色データとオブジェクトの背景色データとが一致しない場合に層色データを分析して、オブジェクトの層の色を決定して、オブジェクトの印刷情報を決定する。これにより、３Ｄ物体用のフルカラーデータの処理方法を提供することができる。この処理方法では、３Ｄオブジェクトをスライスし、スライス後に生成された層色データ及び層構造データを分析し、データの形で３Ｄオブジェクトのフルカラー情報を示すことで、３Ｄオブジェクトのスライス層及び背景画像の色が一致する場合に判別することができ、印刷しないこと又は印刷間違いの発生を避けることができる。
【００５４】
図１４は本発明の実施例４に係る３Ｄ物体用のフルカラーデータの処理装置の構成模式図である。図１４に示すように、本実施例に係る装置の層形成モジュール３１は、実施例３を基とし、層形成子モジュール３１１を備える。
【００５５】
層形成子モジュール３１１は、以下の処理を実行するためのものである。
オブジェクトに対してスキャン処理を実行してオブジェクトのオブジェクト情報を得る。
オブジェクト情報を層形成スライスソフトにより認識されるデータ形式のオブジェクト情報に変換する。
形式変換後のオブジェクト情報に対して層形成処理を実行してビットマップ画像を生成する。
ビットマップ画像を解析して各層のスライス層データを決定する。
【００５６】
層形成モジュール３１はさらに変換子モジュール３１２を備える。
【００５７】
変換子モジュール３１２は、層形成子モジュール３１１がビットマップ画像を解析して各層のスライス層データを決定した後に、各層のスライス層データの層色データをカラーフォーマット変換して処理後の各層のスライス層データを得るためのものである。
【００５８】
分析モジュール３２は、具体的に以下の処理を実行するためのものである。
ビットマップ画像の数が１である場合には、ビットマップ画像の各画素の層色データを逐一に分析して、層色データが示す内容を決定する。
層色データとオブジェクトの背景色データとが一致する場合には、ビットマップ画像の各画素の層構造データを逐一に分析して、層構造データが示す内容を決定することで、層色データが示す内容及び層構造データが示す内容に基づいてオブジェクトの層の色を決定して、オブジェクトの印刷情報を決定する。
層色データとオブジェクトの背景色データとが一致しない場合には、層色データが示す内容に基づいて、オブジェクトの層の色を決定して、オブジェクトの印刷情報を決定する。
【００５９】
又は、分析モジュール３２は、具体的に以下の処理を実行するためのものである。
ビットマップ画像が第１のビットマップ画像及び第２のビットマップ画像を含む場合には、第１のビットマップ画像における各画素の層色データを抽出して分析して、層色データが示す内容を決定する。
層色データとオブジェクトの背景色データとが一致する場合には、第１のビットマップ画像における各画素に一対一に対応した第２のビットマップ画像における各画素の層構造データを抽出して分析して、層構造データが示す内容を決定することで、層色データが示す内容及び層構造データが示す内容に基づいて、オブジェクトの層の色を決定して、オブジェクトの印刷情報を決定する。
層色データとオブジェクトの背景色データとが一致しない場合には、層色データが示す内容に基づいて、オブジェクトの層の色を決定して、オブジェクトの印刷情報を決定する。
第１のビットマップ画像は２４ビットのビットマップ画像であり、第２のビットマップ画像は二値画像である。
【００６０】
装置は、具体的に、オブジェクトにおける全ての層の色が決定されるまで、第１の処理工程及び第２の処理工程を繰り返すためのものである。
【００６１】
第１の処理工程は、オブジェクトに対して層形成処理を実行して、予め設定された数の層のスライス層データを決定する工程を繰り返すことを含む。スライス層データは層色データ及び層構造データを含む。
【００６２】
第２の処理工程は、予め設定された数の層の層色データ及び層構造データを分析して、オブジェクトの予め設定された数の層の色を決定して、オブジェクトの印刷情報を決定する工程を繰り返すことを含む。ここで、予め設定された数の層の層色データ及び層構造データを分析することは、層色データとオブジェクトの背景色データとが一致する場合に層色データ及び層構造データを分析し、層色データとオブジェクトの背景色データとが一致しない場合に層色データを分析することを含む。
【００６３】
又は、装置は、具体的に、第３の処理工程及び第４の処理工程を行うためのものである。
【００６４】
第３の処理工程は、オブジェクトに対して層形成処理を実行して、全ての層のスライス層データを決定する工程を繰り返すことを含む。スライス層データは層色データ及び層構造データを含む。
【００６５】
第４の処理工程は、全ての層の層色データ及び層構造データ夫々を分析して、オブジェクトの全ての層の色を決定して、オブジェクトの印刷情報を決定する工程を繰り返すことを含む。ここで、全ての層の層色データ及び層構造データ夫々を分析することは、層色データとオブジェクトの背景色データとが一致する場合に層色データ及び層構造データを分析し、層色データとオブジェクトの背景色データとが一致しない場合に層色データを分析することを含む。
【００６６】
スライス層データは材料情報を更に含む。
【００６７】
本実施例では、オブジェクトに対して層形成処理を実行して、各層のスライス層データを決定する。スライス層データは層色データ及び層構造データを含む。ここで、層色データはオブジェクトの色情報を示し、層構造データはオブジェクトの印刷位置を示す。ビットマップ画像の数によって、層色データとオブジェクトの背景色データとが一致する場合に層色データ及び層構造データを分析し、層色データとオブジェクトの背景色データとが一致しない場合に層色データを分析することで、オブジェクトの層の色を決定して、オブジェクトの印刷情報を決定する。これにより、３Ｄ物体用のフルカラーデータの処理方法を提供することができる。この処理方法では、３Ｄオブジェクトをスライスし、スライス後に生成された層色データ及び層構造データを分析し、データの形で３Ｄオブジェクトのフルカラー情報を示すことで、３Ｄオブジェクトのスライス層及び背景画像の色が一致する場合に判別することができ、印刷しないこと又は印刷間違いの発生を避けることができる。
【００６８】
当業者であれは、以下のことが理解できる。上記各方法に係る実施例の全部又は一部のステップはプログラム指令に係るハードウェアにより実現される。前述したプログラムはコンピュータにより読み取られる記憶媒体に記憶されてもよい。該プログラムは、上記の各方法に係る実施例のステップを実行する。前述した記憶媒体は、ＲＯＭ、ＲＡＭ、磁気ディスク、又は光ディスクなど、プログラムのコードを記憶することが可能な媒体を含む。
【００６９】
前述した実施例は、本発明を説明するためのものに過ぎず、本発明を制限するものではない。前述した実施例に基づいて本発明を詳しく説明したが、当業者であれば、前述した各実施例に記載の発明を変更し、又はその一部の技術的特徴を均等に置き換えることができ、これらの変更又は置き換えは、技術の本質を各実施例に係る発明の思想及び範囲から逸脱させることがないと理解できる。
【図１】
2019503905.tif 000003
【図２】
2019503905.tif 000004
【図３】
2019503905.tif 000005
【図４】
2019503905.tif 000006
【図５】
2019503905.tif 000007
【図６】
2019503905.tif 000008
【図７】
2019503905.tif 000009
【図８】
2019503905.tif 000010
【図９】
2019503905.tif 000011
【図１０】
2019503905.tif 000012
【図１１】
2019503905.tif 000013
【図１２】
2019503905.tif 000014
【図１３】
2019503905.tif 000015
【図１４】
2019503905.tif 000016
【国際調査報告】
2019503905.tif 000017
2019503905.tif 000018
2019503905.tif 000019
2019503905.tif 000020